(57)【要約】【課題】  動作音の小さいレンズユニットおよび撮像装置を提供する。【解決手段】  レンズユニット３は、アクチュエータ２３，２４により駆動する遮光装置９を有し、遮光装置９は、鏡胴４またはレンズ８を固定する玉枠７に粘弾性を有する接着部材３０で貼着されている。【選択図】図２
2006011202.tif 000002
【特許請求の範囲】
【請求項１】
アクチュエータにより駆動する遮光装置を有し、
前記遮光装置は、鏡胴またはレンズを固定する玉枠に粘弾性を有する接着部材で貼着されていることを特徴とするレンズユニット。
【請求項２】
前記遮光装置は、絞りユニットであることを特徴とする請求項１に記載のレンズユニット。
【請求項３】
前記接着部材は、両面テープであることを特徴とする請求項１または２に記載のレンズユニット。
【請求項４】
前記遮光装置と前記鏡胴または前記玉枠とに、位置決めのためのボスとボス穴とを設け、
前記ボスと前記ボス穴との隙間に粘弾性を有する接着剤を充填したことを特徴とする請求項１から３のいずれかに記載のレンズユニット。
【請求項５】
前記遮光装置と前記鏡胴または前記玉枠との間隔は、前記接着部材の厚みで決定されていることを特徴とする請求項１から４のいずれかに記載のレンズユニット。
【請求項６】
前記遮光装置への電気配線は、可撓性を有するケーブルによって行われていることを特徴とする請求項１から５のいずれかに記載のレンズユニット。
【請求項７】
請求項１から６のいずれかに記載のレンズユニットを有することを特徴とする撮像装置。
【請求項８】
アクチュエータにより駆動する遮光装置を、鏡胴またはレンズを固定する玉枠に粘弾性を有する接着部材で貼着し、
前記遮光装置と前記鏡胴または前記玉枠との間隔は、前記接着部材の厚みで決定することを特徴とするレンズユニットの製造方法。
【発明の詳細な説明】
【技術分野】
【０００１】
本発明は、レンズユニットおよび撮像装置に関する。
【背景技術】
【０００２】
ＣＣＤ等の撮像素子を有する撮像装置において、スミア（被写体の輝度が高すぎることで発生する輝線）防止や露出補正のために入射光を適当に減光する必要がある。しかし、動画撮影機能を有する撮像装置の場合、同時にマイクを通じて音声を録音するため、レンズユニットに機械的な絞りユニットを設けると絞りユニットを駆動するアクチュエータによる振動が鏡胴を介してマイクに伝わり、ノイズ（雑音）として録音されてしまう問題があった。
【０００３】
特許文献１には、エレクトロクロミックス素子を用いた動作音のない光量調節を装置が記載されている。しかしながら、エレクトロクロミックス素子は、高価でありレンズユニットおよび撮像装置が高価になるという問題があった。
【特許文献１】特開２００２−３５４３３９号公報
【発明の開示】
【発明が解決しようとする課題】
【０００４】
前記問題点に鑑みて、本発明の課題は、動作音の小さいレンズユニットおよび撮像装置を提供することにある。
【課題を解決するための手段】
【０００５】
前記課題を解決するために、本発明によるレンズユニットは、アクチュエータにより駆動する遮光装置を有し、前記遮光装置は、鏡胴または玉枠に粘弾性を有する接着部材で貼着されているものとする。
【０００６】
この構成によれば、シャッタユニットや絞りユニットなどの機械的な遮光装置のアクチュエータによる振動は、粘弾性を有する接着部材によって吸収されて、鏡胴または鏡胴に取り付けた玉枠には伝わらない。これにより、鏡胴が振動せずノイズを発生しない。
【０００７】
また、本発明のレンズユニットにおいて、前記遮光装置は、絞りユニットであってもよい。
【０００８】
この構成によれば、頻繁に動作する絞りユニットの振動が鏡胴に伝わらないので動作音が小さい。
【０００９】
また、本発明のレンズユニットにおいて、前記接着部材は、両面テープであってもよい。
【００１０】
この構成によれば、安価な構成でありながら、両面テープの基材および接着剤の粘弾性により遮光装置の振動を吸収できる。
【００１１】
また、本発明のレンズユニットにおいて、前記遮光装置と前記鏡胴または前記玉枠とに、位置決めのためのボスとボス穴とを設け、前記ボスと前記ボス穴との隙間に粘弾性を有する接着剤を充填してもよい。
【００１２】
この構成によれば、前記遮光装置を位置精度よく固定しながら、充填した接着剤の粘弾性によりボスとボス穴との間で振動が伝わらず、遮光装置の振動が鏡胴にノイズとして伝わらないようにできる。
【００１３】
また、本発明のレンズユニットにおいて、前記遮光装置と前記鏡胴または前記玉枠との間隔は、前記接着部材の厚みで決定してもよい。
【００１４】
この構成によれば、遮光装置と、鏡胴または玉枠とを剛体を介して接触させないので、遮光装置の振動を鏡胴に伝えることがなく、レンズユニットの動作音が小さい。
【００１５】
また、本発明のレンズユニットにおいて、前記遮光装置への電気配線は、可撓性を有するケーブルによって行ってもよい。
【００１６】
この構成によれば、遮光部材を他の構成要素と電気的に接続しながら機械的には振動を伝えないように切り離すことができるので、レンズユニットの動作音が小さい。
【００１７】
また、本発明による撮像装置は、前記いずれかのレンズユニットを有するものとする。
【００１８】
この構成によれば、遮光装置の振動が鏡胴に伝わらないので、撮像装置で動画撮影を行っても、遮光装置の振動がノイズとして録音されない。
【００１９】
また、本発明によるレンズユニットの製造方法は、アクチュエータにより駆動する遮光装置を、鏡胴またはレンズを固定する玉枠に粘弾性を有する接着部材で貼着し、前記遮光装置と前記鏡胴または前記玉枠との間隔は、前記接着部材の厚みで決定する。
【００２０】
この組立方法によれば、簡単で安価に、動作音が小さいレンズユニットを組み立てられる。
【発明の効果】
【００２１】
以上のように、本発明によれば、動作音の小さいレンズユニットおよび撮像装置を安価に提供できる。
【発明を実施するための最良の形態】
【００２２】
以下、図面を参照しながら、本発明の実施形態を説明する。
【００２３】
図１に、本発明の第１実施形態の撮像装置１を示す。撮像装置１は、本体２と、本体２の前面に取り付けたレンズユニット３とからなっている。レンズユニット３は、鏡胴４に、前側から順に、電源を入れると図示したように突出する第１群レンズ５と、前後に移動可能な第２群レンズ６と、鏡胴４に固定された玉枠７に支持された第３群レンズ８およびシャッタと絞りとが一体となった遮光装置９と、それぞれ前後に移動可能な第４群レンズ１０および第５群レンズ１１と、鏡胴４の後端部に固定された第６群レンズ１２とが設けられている。被写体からの入射光は、レンズユニット３を通して、本体２の内部に設けたＣＣＤからなる撮像素子１３に結像して電気信号に変換される。撮像素子１３が設けられた撮像装置１の動作を制御する回路を有する基板１４と遮光装置９とは、樹脂製フィルムに金属層をプリントした可撓性のケーブル１５で接続されており、ケーブル１５は、遮光ユニット９を動作させるための電気配線の役目を果たす。さらに、本体２の後部には、液晶による表示装置１６が設けられ、透明部材１７で保護されている。また、本体２には、撮像を確認するファインダ１８と、音声を記録するためのマイク１９と、被写体に投光するためのフラッシュ２０とが設けられている。
【００２４】
さらに、図２に遮光装置９を拡大した断面図と、図３および図４に遮光装置９および玉枠７の斜視図を示し、遮光装置９の取付けについて詳しく説明する。
【００２５】
図２に示すように、遮光装置９は、シャッタユニット２１と絞りユニット２２とを一体化したユニットであり、それぞれ、アクチュエータ２３，２４で羽根２５，２６を操作することで、二点鎖線で示すように光路を狭めたり遮断したりすることができる。アクチュエータ２３，２４は、ケーブル１５を介して入力される電気信号によって羽根２５，２６を動かすための動力を発生する。図３に示すように、遮光装置９にはボス２７が設けられており、図４に示すように、玉枠７にはボス２７を受け入れるボス穴２８と取付穴２９とが設けられている。図２に示すように、ボス２７をボス穴２８に挿入することで遮光装置９を玉枠７に対して位置決めしている。また、図３に示すように、接着部材として不織布に両面からアクリル系粘着剤を含浸させた厚さ０．３ｍｍの両面テープ３０を遮光装置９に貼着し、図４の玉枠７に二点鎖線で示した部分に貼り合わせることで、遮光装置９と玉枠７との間隔が両面テープ３０の厚みである０．３ｍｍになるように固定される。このとき、両面テープ３０は、玉枠７と遮光装置９との対向する面の略全体を覆うように貼着されている。さらに、ボス穴２８の中には、遮光装置９を両面テープ３０で玉枠７に貼着した後で、ボス２７との隙間を埋めるように、クロロプレン合成ゴムを主成分とする合成ゴム系の接着剤３１が充填されている。また、玉枠７は、取付穴２９を使用してねじ３２で鏡胴４に動かないように固定されている。
【００２６】
次に、以上の構成からなる撮像装置１の動作を説明する。
【００２７】
撮像装置１は、被写体から入射した光をレンズユニット３を通して、撮像素子１３に結像させ、電気信号に変換して記録する。撮像装置１は、瞬間的な画像を記録する静止画撮影と、連続して画像を記録する動画撮影とのいずれかを選択して行うことができる。動画撮影時には、マイク１９で被写体の音声を取り込んで、音声付きの動画として記録する。撮像装置１は、動画撮影中も、第２群レンズ６を前後に移動させて撮像の拡大率を変更したり、第４群レンズ１０を前後に移動させて焦点距離を変更しながら音声付き動画を記録することができる。さらに、動画撮影中も、遮光装置９の絞りユニット２２は、被写体から入射する光の強さに応じてアクチュエータ２４によって羽根２６を動作させ、光路を広げたり狭めたりして、撮像装置１３に結像する光の強さを調整する。
【００２８】
撮像装置１において、遮光装置９は、粘弾性を有する両面テープ３０で玉枠７に固定されている。また、位置決めのためのボス２７は粘弾性を有する接着剤３１を介してボス穴２８に係合している。このように、遮光装置９は、粘弾性を有する両面テープ３０および接着剤３１を介して剛体である玉枠７に間接的に固定されているので、シャッタユニット２１のアクチュエータ２３による振動および絞りユニット２２のアクチュエータ２４による振動エネルギーは、両面テープ３０および接着剤３１に吸収されて熱として放散され、玉枠７および鏡胴４には振動が殆ど伝わらない。また、アクチュエータ２３，２４を駆動するための電気配線は、可撓性を有するケーブル１５によって行われているので、電気配線を介して遮光部材９の振動が鏡胴４などの他の構成要素に伝わることもない。このため、撮像装置１で動画撮影をしているときに被写体の輝度の変化に応じて絞りを調節しても、絞りユニット２２が発生する振動が鏡胴４にほとんど伝わらないので、不図示のマイクに絞りユニット２２の振動が伝わり、記録音声中にノイズ（雑音）が入ることがない。
【００２９】
また、両面テープ３０で、遮光装置９と玉枠７との間隔を決定するので、容易に、かつ、高精度に遮光装置９を固定でき、レンズユニット３の組立および撮像装置１の製造が複雑化しない。尚、両面テープ３０は、厚みが０．１５ｍｍ未満では振動を十分に吸収できず、厚みが０．４ｍｍを超えるとその粘弾性のために遮光装置９の重みで厚さが不均一になるなどして遮光装置９が偏芯してしまうことがある。このため、両面テープ３０の厚みは、０．１５ｍｍ以上で０．４ｍｍ以下にすることが好ましい。
【００３０】
遮光部材９を玉枠７に取り付ける際は、２つのボス２７をそれぞれボス穴２８に係合させることで、容易に玉枠７に対して遮光装置９の軸および軸周りの角度を合わせることができる。尚、本実施形態では、ボス２７およびボス穴２８がそれぞれ２つずつ設けられているが、実際の工程を考慮して１つのボス穴２８をやや大きめにして位置合わせをし易くしている。よって、さらにもう１つずつボス２７およびボス穴２８を設けて、３つのボス２７と３つのボス穴２８とで位置決めするようにすれば、より正確に軸合わせを行うことができる。
【００３１】
本実施形態では、第３群レンズ８を支持するために鏡胴４に固定した玉枠７に遮光装置９を取付けているが、玉枠７は、光軸方向に移動可能であってもよく、また、遮光装置９を鏡胴４に直接、両面テープ３０で貼着するようにしてもよい。
【００３２】
なお、両面テープ３０などの接着部材および接着剤３１は、遮光装置９が発生する振動の周波数に対して高い損失係数（ロスファクター）を有するものが好ましく、個々の設計条件において最適なものが選択されねばならない。本実施形態の遮光装置９は、周波数が８００〜６ｋＨｚの振動を発生するが、この周波数帯域は人の可聴域にあり、その振動が伝わると雑音として認識され得る。中でも１ｋＨｚ付近の振動は人に最もよく感じられるので、接着部材は、１ｋＨｚの周波数に対する損失係数が高いことが好ましい。具体的には、一般的なゴムは１ｋＨｚでの損失係数が０．３程度であるが、本発明には、１ｋＨｚでの損失係数が０．５以上の接着部材を選択することが好ましい。
【００３３】
また、実施形態の撮像装置１は、いわゆるデジタルカメラであるが、本発明のレンズユニットを有する撮像装置は、携帯電話やＰＤＡなどの携帯機器であってもよい。
【図面の簡単な説明】
【００３４】
【図１】本発明の実施形態の撮像装置の断面図。
【図２】図１の撮像装置の部分拡大断面図。
【図３】図１の撮像装置の遮光装置の斜視図。
【図４】図１の撮像装置の玉枠の斜視図。
【符号の説明】
【００３５】
１  撮像装置
３  レンズユニット
４  鏡胴
７  玉枠
９  遮光装置
１５  ケーブル
２１  シャッタユニット
２２  絞りユニット
２３，２４  アクチュエータ
２７  ボス
２８  ボス穴
３０  両面テープ（接着部材）
３１  接着剤
【図１】
2006011202.tif 000003
【図２】
2006011202.tif 000004
【図３】
2006011202.tif 000005
【図４】
2006011202.tif 000006